【事件の表示】
　特許第３１０６０７８号「液晶駆動用電源」の請求項１、２に係る特許に対する特許異議の申立てについて、次のとおり決定する。
【結　論】
　訂正を認める。
　特許第３１０６０７８号の請求項１ないし２に係る特許を維持する。
【理　由】
１．手続の経緯
　本件特許第3106078号の特許請求の範囲の請求項1及び2に係る発明は、平成6年12月28日に特許出願され、平成12年9月1日に設定登録がなされ、特許異議の申立がなされ、取消理由通知がなされ、その指定期間内である平成13年9月25日に訂正請求がなされ、再度、取消理由通知がなされ、その指定期間内である平成13年12月7日に前記訂正請求は取り下げられるとともに新たに訂正請求がなされたものである。
２．訂正の適否について
　ア．訂正の内容
　訂正事項ａ
　特許請求の範囲の請求項１を、
「複数のコモン電極と複数のセグメント電極とが液晶を介して交差して配列されたマトリクス型液晶表示装置のための液晶駆動用電源において、
　コモン電極に印加する電圧を発生するコモン電圧源であって、外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力するコモン電圧源と、
　セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０，Ｖ４末満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源とを含むことを特徴とする液晶駆動用電源。」と訂正する。
　訂正事項ｂ
　特許請求の範囲の請求項２を、
「複数のコモン電極と複数のセグメント電極とが液晶を介して交差して配列されたマトリクス型液晶表示装置のための液晶駆動用電源において、
　セグメント電極に印加する電圧を発生するセグメント電圧源であって、外部の電源回路より入力される電源電圧に基づいて、コモン中心電圧Ｖ２を中心としてその上下にセグメント第１電圧ＶＩとセグメント第２電圧Ｖ３とをそれぞれ発生するセグメント電圧源と、
　コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源とを含むことを特徴とする液晶駆動用電源。」と訂正する。
　訂正事項ｃ
　特許請求の範囲の請求項３を、
「複数のコモン電極と複数のセグメント電極とが液晶を介して交差して配列されたマトリクス型液晶表示装置のための液晶駆動用電源において、
　セグメント電極に印加する電圧を発生するセグメント電圧源であって、コモン中心電圧Ｖ２を中心としてその上下にセグメント第１電圧Ｖ１とセグメント第２電圧Ｖ３とをそれぞれ発生するセグメント電圧源と、
　コモン電極に印加する電圧を発生するコモン電圧源であって、コモン中心電圧Ｖ２が与えられ、このコモン中心電圧の上下に、かつセグメント第１および第２電圧Ｖ１，Ｖ３を超えるコモン第１電圧Ｖ０とコモン第２電圧Ｖ４とをそれぞれ発生するコモン電圧源とを含む液晶駆動用電源であって、
　コモン電圧源は、コモン中心電圧Ｖ２とセグメント第１または第２電圧Ｖ１、Ｖ３のいずれか一方との差に対応するコモン第１電圧Ｖ０を発生する第１差動増幅器と、
　コモン中心電圧Ｖ２とセグメント第１または第２電圧Ｖ１，Ｖ３のいずれか他方との差に対応するコモン第２電圧Ｖ４を発生する第２差動増幅器とを有し、　さらに、表示を行わないとき、セグメント第１および第２電圧Ｖ１，Ｖ３をコモン中心電圧Ｖ２に等しくする手段を含むことを特徴とする液晶駆動用電
源。」と訂正する。
　訂正事項ｄ
　明細書の発明の詳細な説明の欄の「課題を解決するための手段」の項の記載を、
「本発明は、複数のコモン電極と複数のセグメント電極とが液晶を介して交差して配列されたマトリクス型液晶表示装置のための液晶駆動用電源において、
　コモン電極に印加する電圧を発生するコモン電圧源であって、外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力するコモン電圧源と、
　セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０，Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源とを含むことを特徴とする液晶駆動用電源である。
　また、本発明は、複数のコモン電極と複数のセグメント電極とが液晶を介して交差して配列されたマトリクス型液晶表示装置のための液晶駆動用電源において、
　セグメント電極に印加する電圧を発生するセグメント電圧源であって、外部の電源回路より入力される電源電圧に基づいて、コモン中心電圧Ｖ２を中心としてその上下にセグメント第１電圧Ｖ１とセグメント第２電圧Ｖ３とをそれぞれ発生するセグメント電圧源と、
　コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源とを含むことを特徴とする液晶駆動用電源である。
　また本発明は、コモン電圧源は、
　コモン中心電圧Ｖ２とセグメント第１または第２電圧Ｖ１，Ｖ３のいずれか一方との差に対応するコモン第１電圧Ｖ０を発生する第１差動増幅器と、コモン中心電圧Ｖ２とセグメント第１または第２電圧Ｖ１，Ｖ３のいずれか他方との差に対応するコモン第２電圧Ｖ４を発生する第２差動増幅器とを有し、
　さらに、表示を行わないとき、セグメント第１および第２電圧Ｖ１、Ｖ３をコモン中心電圧Ｖ２に等しくする手段を含むことを特徴とする。
　また本発明は、複数のコモン電極と複数のセグメント電極とが液晶を介して交差して配列されたマトリクス型液晶表示装置のための液晶駆動用電源において、
　コモン電極のためのコモン中心電圧Ｖ２を発生する手段と、予め定める一定電流を供給し、その電流を遮断することができる電流源と、コモン中心電圧発生手段と電流源との間に介在され、コモン第１電圧Ｖ０を発生する手段と、
　コモン中心電圧発生手段と電流源との間に介在され、セグメント第１電圧Ｖ１を発生する手段と、
　コモン中心電圧Ｖ２とコモン第１電圧Ｖ０との差に対応するコモン第２電圧Ｖ４を発生する第１差動増幅器と、
　コモン中心電圧Ｖ２とセグメント第１電圧Ｖ１との差に対応するセグメント第２電圧Ｖ３を発生する第２差動増幅器と、表示を行わないとき、電流源を遮断する手段とを含むことを特徴とする液晶駆動用電源である。」と訂正する。
　
　イ．訂正の目的の適否、新規事項の追加の有無及び特許請求の範囲の拡張又は変更の存否
　訂正事項ａについて
　特許請求の範囲の請求項１中に記載された「コモン中心電圧Ｖ２を中心としてその上下にコモン第１電圧Ｖ０とコモン第２電圧Ｖ４とをそれぞれ発生する」を、「外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力する」に限定するものであり、「コモン中心電圧Ｖ２が与えられ、そのコモン中心電圧Ｖ２の上下に、かつコモン第１および第２電圧Ｖ０，Ｖ４未満であるセグメント第１電圧Ｖ１とセグメント第２電圧Ｖ３とをそれぞれ発生する」を、「コモン電圧源より出力されるコモン中心電圧Ｖ２が与えられ、そのコモン中心電圧Ｖ２の上下に、コモン第１および第２電圧Ｖ０，Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生する」に限定するものである。
　そして、この限定は、本件特許明細書の発明の詳細な説明の欄の段落【００２９】、【００３０】、【００３１】、【００３２】、【００３４】及び【００７８】の記載から直接的かつ一義的に導き出せる事項である。
　したがって、この訂正事項ａは、特許請求の範囲の減縮に該当し、新規事項を追加するものでなく、特許請求の範囲を実質的に拡張又は変更するものでもない。
　訂正事項ｂについて
　特許請求の範囲の請求項２の「コモン中心電圧Ｖ２を中心としてその上下にセグメント第１電圧ＶＩとセグメント第２電圧Ｖ３とをそれぞれ発生する」を、「外部の電源回路より入力される電源電圧に基づいて、コモン中心電圧Ｖ２を中心としてその上下にセグメント第１電圧Ｖ１とセグメント第２電圧Ｖ３とをそれぞれ発生する」に限定するものであり、また、「コモン中心電圧Ｖ２が与えられ、このコモン中心電圧の上下に、かつセグメント第１および第２電圧Ｖ１，Ｖ３を超えるコモン第１電圧Ｖ０とコモン第２電圧Ｖ４とをそれぞれ発生する」を、「セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生する」に限定するものである。
　そして、この限定は、本件特許明細書の発明の詳細な説明の欄の段落【００５０】、【００５１】、【００５２】、【００５３】、【００５４】及び【００７８】の記載から直接的かつ一義的に導き出せる事項である。
　したがって、この訂正事項ｂは、特許請求の範囲の減縮に該当し、新規事項を追加するものでなく、特許請求の範囲を実質的に拡張又は変更するものでもない。
　訂正事項ｃについて
　この訂正事項ｃは、上記訂正事項ｂの請求項２の訂正にともなって、特許請求の範囲の請求項３の記載形式を請求項２を引用する形式から請求項２を引用しない独立形式に書き改めるものであるから、明りょうでない記載の釈明に該当し、新規事項を追加するものでなく、特許請求の範囲を実質的に拡張又は変更するものでもない。
　訂正事項ｄについて
　この訂正事項ｄは、上記訂正事項ａ及びｂの訂正に対して、発明の詳細な説明の【課題を解決するための手段】の項の記載を整合させるものであるから、明りょうでない記載の釈明に該当し、新規事項を追加するものでなく、特許請求の範囲を実質的に拡張又は変更するものでもない。
　ウ．むすび
　以上のとおり、上記訂正請求は、特許法第120条の4第2項及び同条第3項で準用する平成６年法改正前の特許法第126条第1項ただし書き及び第2項の規定に適合するので、当該訂正を認める。
３．特許異議申立について
　ア．本件発明
　訂正後の特許明細書の特許請求の範囲の請求項1及び2に係る発明（以下、本件発明1及び2という。）は次のとおりのものである。
「【請求項１】　複数のコモン電極と複数のセグメント電極とが液晶を介して交差して配列されたマトリクス型液晶表示装置のための液晶駆動用電源において、
　コモン電極に印加する電圧を発生するコモン電圧源であって、外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力するコモン電圧源と、
　セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０，Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源とを含むことを特徴とする液晶駆動用電源。
　【請求項２】　複数のコモン電極と複数のセグメント電極とが液晶を介して交差して配列されたマトリクス型液晶表示装置のための液晶駆動用電源において、
　セグメント電極に印加する電圧を発生するセグメント電圧源であって、外部の電源回路より入力される電源電圧に基づいて、コモン中心電圧Ｖ２を中心としてその上下にセグメント第１電圧Ｖ１とセグメント第２電圧Ｖ３とをそれぞれ発生するセグメント電圧源と、
　コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源とを含むことを特徴とする液晶駆動用電源。」
　イ．異議申立の理由の概要
　異議申立人 株式会社は、証拠として甲第1号証を提出し、本件発明1及び2は、特許法第29条第2項の規定若しくは特許法第36条第5項の規定に違反して特許されたものであるから、それらの特許は取り消されるべき旨主張している。
　ウ．証拠に記載の発明
　甲第1号証(特開平4-199186号公報)には以下の事項が記載されている。
「例えば液晶表示パネル等のドットマトリックス型の表示パネル」（1頁左下欄18行〜19行）
「信号電極駆動電圧及び走査電極駆動電圧を発生する電圧発生回路を信号電極駆動回路、走査電極駆動回路に内蔵し」（1頁右下欄末行〜2頁左上欄2行）
「信号側駆動回路８０は、印加される電圧Ｖ２（Ｖ２＞ＧＮＤ）とＶ３（＝ＧＮＤ）とにより電圧Ｖ４（Ｖ４＜ＧＮＤ、｜Ｖ４｜＝｜Ｖ２｜）を発生し、これらを電圧Ｖ２、Ｖ３、Ｖ４を駆動電圧として液晶表示パネル１００の信号電極Ｙ１〜Ｙ３６０を表示駆動する。上記走査側駆動回路２０は印加される電圧Ｖ１（Ｖ１＞Ｖ２＞ＧＮＤ）を発生し、これらの電圧Ｖ１、Ｖ３、Ｖ５を駆動電圧として液晶表示パネル１００の走査電極Ｘ１〜Ｘ２４０を順次駆動する。
　次に、上記信号側駆動回路８０，走査側駆動回路２０内に設けられる電圧発生回路の原理構成について第２図により説明する。」（2頁右上欄16行〜同頁左下欄10行）
「液晶駆動電圧Ｖ５は、液晶駆動電圧Ｖ１に対し、接地電位（＝Ｖ３）を中心として対称となるレベルに保持される」（3頁右下欄17行〜20行）
「この液晶駆動電圧Ｖ４は、液晶駆動電圧Ｖ２に対し、接地電位（＝Ｖ３）を中心として対称となるレベルに保持される。」（4頁左上欄9行〜11行）
　エ．当審の判断
　（１）特許法第29条第2項の規定違反について
　本件発明1について
　甲第1号証には、本件発明1の「セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０、Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源」は記載も示唆もされていないし、周知又は自明の事項でもない。
　本件発明1は、「セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０，Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源」を備えることにより、コントラストの調整が容易になるという作用効果を呈するものである。
　本件発明2について
　甲第1号証には、本件発明2の「コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源」は記載も示唆もされていないし、周知又は自明の事項でもない。
　本件発明2は、「コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源」を備えることにより、コントラストの調整が容易になるという作用効果を呈するものである。
　したがって、本件発明1及び2は、甲第1号証に記載された発明に基づいて当業者が容易に発明することができないから、特許法第29条第2項の規定に違反して特許されたものとすることができない。
　（２）特許法第36条第6項の規定違反について
　本件発明1について
　本件発明1の「コモン中心電圧Ｖ２」は「外部の電源回路より入力される第１電源電圧および第２電源電圧の中間電圧」であるから、本件発明1の構成が明りょうでないとすることはできない。
　本件発明2について
　本件発明2の「コモン中心電圧Ｖ２」は「外部の電源回路より入力される電源電圧に基づいて、コモン中心電圧Ｖ２を中心としてその上下にセグメント第１電圧Ｖ１とセグメント第２電圧Ｖ３とをそれぞれ発生する」のであるから、本件発明1の構成が明りょうでないとすることはできない。
　したがって、本件発明1及び2は、その構成が明りょうであるから、特許法第36条第5項の規定に違反して特許されたものとすることができない。
　オ．むすび
  以上のとおり、異議申立の理由及び証拠によっては、本件発明1及び2についての特許を取り消すことができない。
　また、他に本件発明1及び2についての特許を取り消すべき理由を発見しない。
　よって、結論のとおり決定する。
【異議決定日】
平成１３年１２月１７日（２００１．１２．１７）
【訂正の要旨】
　訂正事項
　ａ１−１
　特許請求の範囲の請求項１を、特許請求の範囲の減縮を目的として、
「複数のコモン電極と複数のセグメント電極とが液晶を介して交差して配列されたマトリクス型液晶表示装置のための液晶駆動用電源において、
　コモン電極に印加する電圧を発生するコモン電圧源であって、外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力するコモン電圧源と、
　セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０，Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源とを含むことを特徴とする液晶駆動用電源。」と訂正します。
　ａ１−２
　また、請求項２を、特許請求の範囲の減縮を目的として、
「複数のコモン電極と複数のセグメント電極とが液晶を介して交差して配列されたマトリクス型液晶表示装置のための液晶駆動用電源において、
　セグメント電極に印加する電圧を発生するセグメント電圧源であって、外部の電源回路より入力される電源電圧に基づいて、コモン中心電圧Ｖ２を中心としてその上下にセグメント第１電圧Ｖ１とセグメント第２電圧Ｖ３とをそれぞれ発生するセグメント電圧源と、
　コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源とを含むことを特徴とする液晶駆動用電源。」と訂正します。
　ａ１−３
　更に、請求項３を、記載形式の変更のみを目的として、
「複数のコモン電極と複数のセグメント電極とが液晶を介して交差して配列されたマトリクス型液晶表示装置のための液晶駆動用電源において、
　セグメント電極に印加する電圧を発生するセグメント電圧源であって、コモン中心電圧Ｖ２を中心としてその上下にセグメント第１電圧Ｖ１とセグメント第２電圧Ｖ３とをそれぞれ発生するセグメント電圧源と、
　コモン電極に印加する電圧を発生するコモン電圧源であって、コモン中心電圧Ｖ２が与えられ、このコモン中心電圧の上下に、かつセグメント第１および第２電圧Ｖ１，Ｖ３を超えるコモン第１電圧Ｖ０とコモン第２電圧Ｖ４とをそれぞれ発生するコモン電圧源とを含む液晶駆動用電源であって、
　コモン電圧源は、
　コモン中心電圧Ｖ２とセグメント第１または第２電圧Ｖ１，Ｖ３のいずれか一方との差に対応するコモン第１電圧Ｖ０を発生する第１差動増幅器と、
　コモン中心電圧Ｖ２とセグメント第１または第２電圧Ｖ１，Ｖ３のいずれか他方との差に対応するコモン第２電圧Ｖ４を発生する第２差動増幅器とを有し、
　さらに、表示を行わないとき、セグメント第１および第２電圧Ｖ１，Ｖ３をコモン中心電圧Ｖ２に等しくする手段を含むことを特徴とする液晶駆動用電源。」と訂正します。
　ａ２．これに伴い、特許請求の範囲の記載と、発明の詳細な説明の記載との整合を図るため、明りょうでない記載の釈明を目的として、明細書の発明の詳細な説明の欄の「課題を解決するための手段」の項の記載を、
「本発明は、複数のコモン電極と複数のセグメント電極とが液晶を介して交差して配列されたマトリクス型液晶表示装置のための液晶駆動用電源において、
　コモン電極に印加する電圧を発生するコモン電圧源であって、外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力するコモン電圧源と、
　セグメント電極に印加する電圧を発生するセグメント電圧源であって、コモン電圧源より出力されるコモン中心電圧Ｖ２が与えられ、そのコモン中心電圧Ｖ２の上下に、コモン第１および第２電圧Ｖ０，Ｖ４未満であり、かつ、コモン第１およびコモン第２電圧Ｖ０，Ｖ４とは独立にその値を調整可能なセグメント第１電圧Ｖ１とセグメント第２電圧Ｖ３とをそれぞれ発生するセグメント電圧源とを含むことを特徴とする液晶駆動用電源である。
　また、本発明は、複数のコモン電極と複数のセグメント電極とが液晶を介して交差して配列されたマトリクス型液晶表示装置のための液晶駆動用電源において、
　セグメント電極に印加する電圧を発生するセグメント電圧源であって、外部の電源回路より入力される電源電圧に基づいて、コモン中心電圧Ｖ２を中心としてその上下にセグメント第１電圧Ｖ１とセグメント第２電圧Ｖ３とをそれぞれ発生するセグメント電圧源と、
　コモン電極に印加する電圧を発生するコモン電圧源であって、セグメント電圧源より出力されるコモン中心電圧Ｖ２が与えられ、このコモン中心電圧の上下に、セグメント第１および第２電圧Ｖ１，Ｖ３を超え、かつ、セグメント第１および第２電圧Ｖ１，Ｖ３とは独立にその値を調整可能なコモン第１電圧Ｖ０とコモン第２電圧Ｖ４とをそれぞれ発生するコモン電圧源とを含むことを特徴とする液晶駆動用電源である。
　また本発明は、コモン電圧源は、
　コモン中心電圧Ｖ２とセグメント第１または第２電圧Ｖ１，Ｖ３のいずれか一方との差に対応するコモン第１電圧Ｖ０を発生する第１差動増幅器と、
　コモン中心電圧Ｖ２とセグメント第１または第２電圧Ｖ１，Ｖ３のいずれか他方との差に対応するコモン第２電圧Ｖ４を発生する第２差動増幅器とを有し、
　さらに、
　表示を行わないとき、セグメント第１および第２電圧Ｖ１，Ｖ３をコモン中心電圧Ｖ２に等しくする手段を含むことを特徴とする。
　また本発明は、複数のコモン電極と複数のセグメント電極とが液晶を介して交差して配列されたマトリクス型液晶表示装置のための液晶駆動用電源において、
　コモン電極のためのコモン中心電圧Ｖ２を発生する手段と、
　予め定める一定電流を供給し、その電流を遮断することができる電流源と、
　コモン中心電圧発生手段と電流源との間に介在され、コモン第１電圧Ｖ０を発生する手段と、
　コモン中心電圧発生手段と電流源との間に介在され、セグメント第１電圧Ｖ１を発生する手段と、
　コモン中心電圧Ｖ２とコモン第１電圧Ｖ０との差に対応するコモン第２電圧Ｖ４を発生する第１差動増幅器と、
　コモン中心電圧Ｖ２とセグメント第１電圧Ｖ１との差に対応するセグメント第２電圧Ｖ３を発生する第２差動増幅器と、
　表示を行わないとき、電流源を遮断する手段とを含むことを特徴とする液晶駆動用電源である。」と訂正します。
（５４）【発明の名称】
液晶駆動用電源
（５７）【特許請求の範囲】
　【請求項１】　複数のコモン電極と複数のセグメント電極とが液晶を介して交差して配列されたマトリクス型液晶表示装置のための液晶駆動用電源において、
　コモン電極に印加する電圧を発生するコモン電圧源であって、
外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力する
　セグメント電極に印加する電圧を発生するセグメント電圧源であって、
コモン電圧源より出力される
、コ
り、かつ、コモン第１およびコモン第２電圧Ｖ０，Ｖ４とは独立にその値を調整可能な
　【請求項２】　複数のコモン電極と複数のセグメント電極とが液晶を介して交差して配列されたマトリクス型液晶表示装置のための液晶駆動用電源において、
　セグメント電極に印加する電圧を発生するセグメント電圧源であって、
外部の電源回路より入力される電源電圧に基づいて、
　コモン電極に印加する電圧を発生するコモン電圧源であって、
セグメント電圧源より出力される
、セ
、かつ、セグメント第１および第２電圧Ｖ１，Ｖ３とは独立にその値を調整可能な
　【請求項３】　
複数のコモン電極と複数のセグメント電極とが液晶を介して交差して配列されたマトリクス型液晶表示装置のための液晶駆動用電源において
　
セグメント電極に印加する電圧を発生するセグメント電圧源であって、コモン中心電圧Ｖ２を中心としてその上下にセグメント第１電圧Ｖ１とセグメント第２電圧Ｖ３とをそれぞれ発生するセグメント電圧源と、
　
コモン電極に印加する電圧を発生するコモン電圧源であって、コモン中心電圧Ｖ２が与えられ、このコモン中心電圧の上下に、かつセグメント第１および第２電圧Ｖ１，Ｖ３を超えるコモン第１電圧Ｖ０とコモン第２電圧Ｖ４とをそれぞれ発生するコモン電圧源とを含む液晶駆動用電源であって、
　コモン電圧源は、
　コモン中心電圧Ｖ２とセグメント第１または第２電圧Ｖ１，Ｖ３のいずれか一方との差に対応するコモン第１電圧Ｖ０を発生する第１差動増幅器と、
　コモン中心電圧Ｖ２とセグメント第１または第２電圧Ｖ１，Ｖ３のいずれか他方との差に対応するコモン第２電圧Ｖ４を発生する第２差動増幅器とを有し、
　さらに、
　表示を行わないとき、セグメント第１および第２電圧Ｖ１，Ｖ３をコモン中心電圧Ｖ２に等しくする手段を含むことを特徴とす
る液
　【請求項４】　複数のコモン電極と複数のセグメント電極とが液晶を介して交差して配列されたマトリクス型液晶表示装置のための液晶駆動用電源において、コモン電極のためのコモン中心電圧Ｖ２を発生する手段と、
　予め定める一定電流を供給し、その電流を遮断することができる電流源と、
　コモン中心電圧発生手段と電流源との間に介在され、コモン第１電圧Ｖ０を発生する手段と、
　コモン中心電圧発生手段と電流源との間に介在され、セグメント第１電圧Ｖ１を発生する手段と、
　コモン中心電圧Ｖ２とコモン第１電圧Ｖ０との差に対応するコモン第２電圧Ｖ４を発生する第１差動増幅器と、
　コモン中心電圧Ｖ２とセグメント第１電圧Ｖ１との差に対応するセグメント第２電圧Ｖ３を発生する第２差動増幅器と、
　表示を行わないとき、電流源を遮断する手段とを含むことを特徴とする液晶駆動用電源。
【発明の詳細な説明】
　【０００１】
　【産業上の利用分野】
　本発明は、マトリクス型液晶表示装置に使用する液晶駆動用電源に関するものである。
　【０００２】
　【従来の技術】
　従来技術の液晶駆動用電源の例は、特開昭６３−５５５３０で開示されている。これを実施例を用いて以下に説明する。図２１は、この従来技術におけるマトリクス型液晶表示装置の全体の構成を示すブロック図である。従来技術の液晶駆動用電源１からの電圧Ｖ０〜Ｖ５のうち、コモンドライバ２には、電圧Ｖ０，Ｖ１，Ｖ４，Ｖ５が与えられ、これによって液晶パネル３におけるコモン電極が駆動され、また電極Ｖ０，Ｖ２，Ｖ３，Ｖ５はセグメントドライバ４に与えられて液晶パネル３のセグメント電極が駆動される。図２２は、液晶駆動用電源１の具体的な構成を示す電気回路図である。この液晶駆動用電源１は、電圧値の異なる２種類の電源電圧Ｖ０，Ｖ５間に分割抵抗Ｒ１０〜Ｒ１４を直列接続し、これらの各接続点に演算増幅器であるオペアンプＡ７〜Ａ１０をそれぞれ接続して、６種類の異なるレベルの駆動電圧Ｖ０〜Ｖ５を発生させ、各ドライバ２，４に供給している。この場合、コモン電圧Ｖ０，Ｖ１，Ｖ４，Ｖ５とセグメント電圧Ｖ０，Ｖ２，Ｖ３，Ｖ５はマトリクス型液晶パネル３のデューティ比に適した分圧比になるように、分割抵抗Ｒ１０〜Ｒ１４を予め設定した後、電源電圧Ｖ０もしくはＶ５を可変してコントラストの調整を行う。
　【０００３】
　液晶パネル３は、前記駆動用電源１から所定の電圧を受け、入力されたデータによりコモン側は非選択レベルＶ１，Ｖ４、および選択レベルＶ０，Ｖ５を図２３（１）のようにフレーム毎に出力し、セグメント側は非選択レベルＶ２，Ｖ３、および選択レベルＶ０，Ｖ５を同様に図２３（２）のようにフレーム毎に出力し、図２３（３）のような合成波形により液晶を駆動している。以上のようにこの駆動方式では、コモン、セグメントとも駆動電圧が４電圧必要であり、駆動用電源１は、これに合わせて前記の異なる６種類の駆動電圧Ｖ０〜Ｖ５を出力する必要がある。
　【０００４】
　しかもこの従来の駆動方式では、コモン、セグメントの各電圧とも駆動出力レベルが大きく変動するので、たとえば図２３（２）では波形鈍り５等が発生し、表示品位を落とす原因になりやすく、さらに大画面化、階調表示等高品位な表示をする場合に悪影響を与えるという問題がある。
　【０００５】
　次に、調整箇所を減らして調整の容易化を図った従来技術が、特開昭６３−６８８１９で開示されており、これを図２４を用いて説明する。この従来技術は、電源電圧Ｅから基準電圧を発生させ、この基準電圧より非反転増幅器および反転増幅器を組合わせて異なるレベルの駆動電圧を発生させる構成をとることにより、調整箇所を少なくしている。直流電源Ｅは、可変抵抗Ｒ１および抵抗Ｒ２によって分圧され、その分圧電圧の基準電圧として差動増幅器Ａ１に供給され、抵抗Ｒａ，Ｒｂの値によって決められた倍率で増幅され、液晶駆動電圧Ｖ１として出力され、さらに抵抗Ｒｃを介して差動増幅器Ａ２に与えられ、極性が反転されるとともに、抵抗Ｒｃ，Ｒｄによって決められた倍率で増幅されて液晶駆動電圧Ｖ５が得られる。差動増幅器Ａ１の出力は、抵抗Ｒ３，Ｒ４で分圧されて差動増幅器Ａ３に入力され、これによって液晶駆動電圧Ｖ２が出力されるとともに、抵抗Ｒｅを介して差動増幅器Ａ４に入力され、その極性が反転され、抵抗Ｒｅ，Ｒｆによって決められた倍率で増幅して駆動電圧Ｖ４が得られる。こうしてコモン電圧Ｖ１，Ｖ５とセグメント電圧Ｖ２，Ｖ４が得られ、接地電圧Ｖ３を中心として上下に対称な電圧を得ることができる。
　【０００６】
　この図２４に示される従来技術では、コモン電圧Ｖ１，Ｖ５、セグメント電圧Ｖ２，Ｖ４を独立に調整することはできない。すなわち抵抗Ｒａ，Ｒｂの値を変化すると、この電圧Ｖ１，Ｖ５だけでなく、セグメント電圧Ｖ２，Ｖ４もまた、変化してしまう。
　【０００７】
　従来技術の液晶駆動用電源の他の例として、特開昭５７−３８４９７に開示されている。この従来技術の構成を、図２５〜図２７を参照して述べる。まず図２５のブロック図の具体的な構成は、図２６に示されており、これによって図２７に示される電圧波形が得られる。この従来技術は、クロストークを防止する電圧平均化法であり、図２７（１）は走査電極、すなわちコモン電極に与えられる電圧波形であり、図２７（２）は列電極、すなわちセグメント電極に与えられる電圧波形であり、図２７（３）はコモン電極とセグメント電極との間に印加されて液晶に作用する電圧波形を示す。セグメント電極にピーク電圧２Ｖ２を印加し、コモン電極には液晶の交流駆動という観点から、液晶パネル上ではこの直流成分を相殺するために、直流電圧Ｖ２を重畳させた電圧波形（図２７（１）参照）が印加される。
　【０００８】
　図２５に示される電源構成は、電源Ｖ０をロジック駆動に使用する一方、この電圧をＤＣ−ＤＣコンバータを通して、２・Ｖ１のフローティング電圧に変換し、これをさらに可変出力電源を用いて、±Ｖ１＋Ｖ２，Ｖ２，２・Ｖ２の４電圧に変換する。また、この電源は、Ｖ１＝Ｋ・Ｖ２（Ｋ：任意定数）になるように内部調節することができる。したがって、Ｋ＝Ｎ（Ｎ：走査電極数）になるように可変電源を調節すると、２・Ｖ１のみを変化することによって、最適電圧平均化法を損なうことなく、必要な電圧を取出すことができる。
　【０００９】
　図２５の具体的な構成を示す図２６において、電源Ｖ０からロジック駆動電圧を取出す一方、この電圧をＤＣ−ＤＣコンバータを通して２・Ｖ１のフローティング電圧に変換し、これをさらに可変出力電源を用いて（±Ｖ１＋Ｖ２），Ｖ２，２・Ｖ２の４電圧に変換している。具体的には、図２６のオペアンプ１６ａと抵抗Ｒａ１，Ｒｂ１により出力電圧（Ｖ１＋Ｖ２），（−Ｖ１＋Ｖ２）の電圧を設定し、抵抗Ｒａ１とＲｂ１との比を変えることにより電圧Ｖ２を、可変抵抗ＶＲａによりＶ１の大きさを調整することができる。このようにしてできた（±Ｖ１＋Ｖ２）の電圧の中間電圧を、オペアンプ１６ｂと抵抗を介して電圧Ｖ２として出力するとともに、オペアンプ１６ｃにより前記電圧Ｖ２を２倍した電圧２・Ｖ２を発生させている。
　【００１０】
　また、図２８に示される構成の具体的な電気回路は図２９に示されており、この図２８および図２９の構成もまた、図２７に示される電圧波形を出力する。この電源構成は、電源Ｖ０からロジック駆動用電圧を取出す一方、Ｖ０を可変出力電源６を通して、Ｖ２，２・Ｖ２の電圧に変換する。また、Ｖ０をＤＣ−ＤＣコンバータを通して２・Ｖ１のフローティング電圧に変換し可変出力電源７を用いて±Ｖ１，Ｖ２の２電圧を取出す。このような電源構成にすると、図２５の電源構成に比べてＶ２，２・Ｖ２に対するＤＣ−ＤＣコンバータの負担がなくなるため、それだけコンバータを小形にできるとともに、電源Ｖ０の利用効率がよくなり、消費電力も小さくすることができる。
　【００１１】
　図２９において、電源Ｖ０からロジック駆動用電圧を取出す一方、この電圧からオペアンプ１６ａと抵抗とにより任意の電圧Ｖ２を発生させ、その電圧を図２９のオペアンプ１６ｂと抵抗とにより２倍に増幅している。さらに前記電圧Ｖ２を中心にオペアンプ１６ｃと周辺回路により上下対称な電圧（±Ｖ１＋Ｖ２）を発生させている。
　【００１２】
　このようにして、図２５〜図２９の２つの各回路とも構成は違うが、コモン駆動電圧（±Ｖ１＋Ｖ２），Ｖ２を、セグメント駆動電圧２・Ｖ２を出力することができる。これらの図２５〜図２９に示される従来技術では、特にその図２７の電圧波形から明らかなように、コモン電圧およびセグメント電圧は０Ｖに関して上下対称ではないので、それらの各電圧の設定が煩わしいという問題がある。
　【００１３】
　図２１〜図２９に示される各従来技術ではまた、液晶パネル３の表示をオフするためには、特に図２１に示されるように、ドライバ２，４の内部に切替スイッチを予め設けておき、そのスイッチにより液晶パネル３への各駆動電圧を全て同一の非選択レベルに切替えて、液晶にかかる電圧をなくすことにより実現してるい。具体的には、図２１のドライバ２，４に表示オフのための切替えのための選択スイッチを設けておき、表示オフを選択すると、ドライバ２，４の各駆動出力が全てＶ５のレベルになる。
　【００１４】
　以上のように従来技術では、表示をオフにするために、ドライバ２，４にて対応しているが、実際の液晶表示装置ではドライバを複数個使用するので、選択スイッチはその数だけ必要となる。また、一般的に液晶表示装置の液晶駆動系の消費電力のうち、約６割は液晶駆動用電源で消費されていると言われており、特に液晶駆動用電源出力回路は液晶への充放電のスピードを保ち、画質をよくするために出力部にアイドリング電流を流さざるを得ない。この電流が液晶駆動用電源の電流のほとんどを占めている。さらに表示を完全にオフにしたときは、液晶には電圧差は生じていないので、この電流は必要がないものであるが、現状では常に一定の電流が無効な電流として流れている。
　【００１５】
　【発明が解決しようとする課題】
　本発明の目的は、コモン電圧とセグメント電圧とを相互に独立して調整することができ、これによってコントラスの調整を容易にし、また電圧の低電圧化を可能として低消費電力化および集積回路による微細化を図ることができ、さらに表示品位を改善することができるようにした液晶駆動用電源を提供することである。
　【００１６】
　本発明の他の目的は、液晶表示をオフすることが可能な液晶駆動用電源を提供することである。
　【００１７】
　【課題を解決するための手段】
　本発明は、複数のコモン電極と複数のセグメント電極とが液晶を介して交差して配列されたマトリクス型液晶表示装置のための液晶駆動用電源において、
　コモン電極に印加する電圧を発生するコモン電圧源であって、
外部の電源回路より入力される第１電源電圧および第２電源電圧を、それぞれ、コモン第１電圧Ｖ０およびコモン第２電圧Ｖ４として出力するとともに、第１電源電圧と第２電源電圧との中間電圧を生成して、この中間電圧をコモン中心電圧Ｖ２として出力する
　セグメント電極に印加する電圧を発生するセグメント電圧源であって、
コモン電圧源より出力される
に、コ
り、かつ、コモン第１およびコモン第２電圧Ｖ０，Ｖ４とは独立にその値を調整可能な
　また、本発明は、複数のコモン電極と複数のセグメント電極とが液晶を介して交差して配列されたマトリクス型液晶表示装置のための液晶駆動用電源において、
　セグメント電極に印加する電圧を発生するセグメント電圧源であって、
外部の電源回路より入力される電源電圧に基づいて、
　コモン電極に印加する電圧を発生するコモン電圧源であって、
セグメント電圧源より出力される
、セ
、かつ、セグメント第１および第２電圧Ｖ１，Ｖ３とは独立にその値を調整可能な
　また本発明は、コモン電圧源は、
　コモン中心電圧Ｖ２とセグメント第１または第２電圧Ｖ１，Ｖ３のいずれか一方との差に対応するコモン第１電圧Ｖ０を発生する第１差動増幅器と、
　コモン中心電圧Ｖ２とセグメント第１または第２電圧Ｖ１，Ｖ３のいずれか他方との差に対応するコモン第２電圧Ｖ４を発生する第２差動増幅器とを有し、
　さらに、
　表示を行わないとき、セグメント第１および第２電圧Ｖ１，Ｖ３をコモン中心電圧Ｖ２に等しくする手段を含むことを特徴とする。
　また本発明は、複数のコモン電極と複数のセグメント電極とが液晶を介して交差して配列されたマトリクス型液晶表示装置のための液晶駆動用電源において、
　コモン電極のためのコモン中心電圧Ｖ２を発生する手段と、
　予め定める一定電流を供給し、その電流を遮断することができる電流源と、
　コモン中心電圧発生手段と電流源との間に介在され、コモン第１電圧Ｖ０を発生する手段と、
　コモン中心電圧発生手段と電流源との間に介在され、セグメント第１電圧Ｖ１を発生する手段と、
　コモン中心電圧Ｖ２とコモン第１電圧Ｖ０との差に対応するコモン第２電圧Ｖ４を発生する第１差動増幅器と、
　コモン中心電圧Ｖ２とセグメント第１電圧Ｖ１との差に対応するセグメント第２電圧Ｖ３を発生する第２差動増幅器と、
　表示を行わないとき、電流源を遮断する手段とを含むことを特徴とする液晶駆動用電源である。
　【００１８】
　【作用】
　本発明に従えば、コモン中心電圧Ｖ２を中心としてその上下にコモン第１および第２電圧Ｖ０，Ｖ４を作成し、またこのコモン中心電圧Ｖ２の上下にセグメント第１および第２電圧Ｖ１，Ｖ３を作成するようにしたので、コモン中心電圧Ｖ２の上下に対称な合計５つの電圧が作成されることができる。こうして作成すべき電圧の種類を、できるだけ低減することができる。
　【００１９】
　しかもコモン電圧源およびセグメント電圧源の各出力電圧を、相互に独立に調整することもまた可能であり、これによってコントラスの調整を容易にすることができる。
　【００２０】
　またセグメント電圧は、そのセグメント第１および第２電圧Ｖ１，Ｖ３の２値であり、これによってこれらの電圧Ｖ１，Ｖ３の電位差を小さくすることができる。したがってセグメント電圧源およびセグメント電極を駆動するドライバの電源電圧を低電圧化することができ、低消費電力化が図られる。しかもこれによって集積回路化を行ったとき、微細化プロセスが可能となり、構成を小形化することができる。こうしてディスクリート部品、すなわち個別的な電子部品を用いることなく、構成を小形化し、コストを低減することができる液晶駆動用電源を実現することができる。
　【００２１】
　さらに本発明に従えば、また上述のようにセグメント第１および第２電圧Ｖ１，Ｖ３の電位差を小さくすることができ、これによって前述の従来技術に関連して述べた図２３（２）の参照符５で示されるようなセグメントドライバによるセグメント電極に与えられる電圧波形の鈍りが解消される。これによってマトリクス型表示装置である表示パネルの表示品位を改善することができる。
　【００２２】
　さらに本発明に従えば、コモン電圧源は、コモン中心電圧Ｖ２とセグメント第１および第２電圧Ｖ１，Ｖ３とが与えられる第１および第２差動増幅器によってコモン第１および第２電圧Ｖ０，Ｖ４を得るようにしたので、表示を行わないとき、セグメント第１および第２電圧Ｖ１，Ｖ３をコモン中心電圧Ｖ２に等しくすることによって、コモン第１および第２電圧Ｖ０，Ｖ４およびセグメント第１および第２電圧Ｖ１，Ｖ３をコモン中心電圧Ｖ２に一致させることができるようになる。これによって液晶表示装置に与えられる駆動電流を低減し、しかも液晶駆動用電源において表示をオフさせることが可能になる。
　【００２３】
　さらに本発明に従えば、コモン中心電圧Ｖ２を基準として、電流源と抵抗などのコモン第１電圧発生手段によってコモン第１電圧Ｖ０を発生し、これによって第１差動増幅器では、コモン中心電圧Ｖ２とコモン第１電圧Ｖ０との差に対応してコモン第２電圧Ｖ４を発生し、また同様にしてコモン中心電圧Ｖ２を基準にして電流源とセグメント第１電圧発生手段である抵抗などとを用いてセグメント第１電圧Ｖ１を発生し、このセグメント第１電圧Ｖ１を用いてコモン中心電圧Ｖ２との差に対応するセグメント第２電圧Ｖ３を第２差動増幅器によって発生し、このような構成において、電流源を遮断することによって、コモン第１電圧Ｖ０およびセグメント第２電圧Ｖ３の電圧がコモン中心電圧Ｖ２とされ、こうして全ての電圧Ｖ０，Ｖ４，Ｖ１，Ｖ３がコモン中心電圧Ｖ２と一致され、これによって液晶駆動用電源において液晶表示装置の表示をオフさせることが可能になる。
　【００２４】
　【実施例】
　図１は、本発明の液晶駆動用電源２１を含む液晶表示装置の全体の構成を示すブロック図である。液晶駆動用電源２１は、図２に示されるようにコモン中心電圧Ｖ２に関して上下に対称にコモン第１および第２電圧Ｖ０，Ｖ４を発生してコモンドライバ２２に与え、またコモン中心電圧Ｖ２を中心としてその上下に対称なセグメント第１および第２電圧Ｖ１，Ｖ３を、セグメントドライバ２３に与える。これらのドライバ２２，２３には、電源回路２４からの電力が与えられ、こうしてマトリクス型液晶表示装置であるパネル２５が駆動される。
　【００２５】
　液晶パネル２５は、複数の行電極であるコモン電極と、複数の列電極であるセグメント電極とが、液晶を介して交差して配列されており、コモン電極が走査電極として働き、セグメント電極が表示電極として働き、こうして液晶表示が達成される。表示すべきデータは、データ発生回路２６から、各ドライバ２２，２３に与えられ、コモン電極およびセグメント電極が選択的に駆動されることになる。
　【００２６】
　ここで、これらの電圧Ｖ０〜Ｖ４に関して次式が成立する。
　【００２７】
　　　Ｖ０−Ｖ２＝Ｖ２−Ｖ４　　　　　　　　　　　　…（１）
　　　Ｖ１−Ｖ２＝Ｖ２−Ｖ３　　　　　　　　　　　　…（２）
　図３は、各ドライバ２２，２３から導出される電圧波形を示す。コモン電極には、コモンドライバ２２から、図３（１）に示される電圧が与えられる。コモン第１および第２電圧Ｖ０，Ｖ４は、コモン中心電圧Ｖ２とは、たとえば２０〜３０Ｖを有する。
　【００２８】
　セグメントドライバ２３の出力波形は図３（２）に示されており、コモン中心電圧Ｖ２を中心として上下のセグメント第１および第２電圧Ｖ１，Ｖ３は、たとえば１．５Ｖの電位差を有する。こうして液晶パネル２５におけるコモン電極とセグメント電極との間に印加される合成波形は、図３（３）で示される波形となる。破線は図３（２）に示されるセグメント電圧である。このようにコモン第１および第２電圧Ｖ０，Ｖ４は、コモン中心電圧Ｖ２を中心として上下に対称に発生され、またセグメント第１および第２電圧Ｖ１，Ｖ３はコモン中心電圧Ｖ２を中心として上下に対称に発生されるので、本件液晶駆動用電源２１の構成を簡略化することができるとともに、電圧の種類は、５であるので、比較的少なく、このことからも構成の簡略化が図られる。
　【００２９】
　図４は、液晶駆動用電源２１の構成を簡略化して示すブロック図である。コモン電圧源２７は、コモン電極に印加する電圧Ｖ２，Ｖ０，Ｖ４を上述のように発生する。セグメント電圧源２８は、コモン中心電圧Ｖ２が与えられて上述のように２種類の電圧Ｖ１，Ｖ３が発生される。セグメント第１および第２電圧Ｖ１，Ｖ３は、コモン第１および第２電圧Ｖ０，Ｖ４未満であり、このことは前述の図２からもまた明らかである。
　【００３０】
　図５は、図４に示される液晶駆動用電源２１の具体的な構成を示す電気回路図である。電源回路２４の電圧は、ライン２９，３０間に導出され、抵抗値が等しい抵抗Ｒ１，Ｒ２によって電圧ＶＤＤとＶＥＥの中間電圧が接続点３１から得られる。この接続点３１の電圧は、演算増幅器であるオペアンプＡ１１に与えられてインピーダンス変換されて、コモン中心電圧Ｖ２としてライン３２から導出される。ライン２９，３０の各電圧ＶＤＤ，ＶＥＥは、コモン第１および第２電圧Ｖ０，Ｖ４として用いられる。セグメント電圧源２８は、基準電流源３３を有し、電源回路２４の電圧ＶＤＤ，ＶＥＥに独立してその電流値Ｉ０を設定することができる。この定電流Ｉ０は、抵抗Ｒ２３に流れて、接続点３４では、電圧（Ｖ２＋Ｒ２３・Ｉ０）を得ることができ、この電圧は、オペアンプＡ１２でインピーダンス変換された後、セグメント第１電圧Ｖ１として出力される。
　【００３１】
　差動増幅器３５を構成するオペアンプＡ１３には、抵抗Ｒ２４，Ｒ２５が接続される。この差動増幅器３５には、ライン３２のコモン中心電圧Ｖ２とセグメント第１電圧Ｖ１とが与えられ、これによってセグメント第１電圧Ｖ１とは極性が逆のセグメント第２電圧Ｖ３を得ることができる。
　【００３２】
　　　Ｖ１＝Ｖ２＋（Ｒ２３＊Ｉ０）　　　　　　　　　…（３）
　　　Ｖ３＝Ｖ２−（Ｒ２３＊Ｉ０）　　　　　　　　　…（４）
ここで
　　　Ｒ２４＝Ｒ２５　　　　　　　　　　　　　　　　…（５）
が成立するように定められる。
　【００３３】
　上述の説明、および以下に述べる説明においては、抵抗の抵抗値は、同一の参照符で示すことがある。
　【００３４】
　本発明に従えば、基準電流源３３の出力電流Ｉ０を可変することができるように構成される。これによってコモン中心電圧Ｖ２を基準とした上下対称なセグメント第１および第２電圧Ｖ１，Ｖ３を発生することができ、これによってコントラスト調整を容易に行うことができる。
　【００３５】
　図６は、基準電流源３３の構成を示す具体的な電気回路図である。この基準電流源３３は、いわゆるバンドギャップ定電圧源３６の出力電圧Ｖａを、差動回路３７に入力し、これによってその出力電圧を、可変抵抗ＶＲ１３で受けることによって、基準電流Ｉ０を発生させ、ライン３８から前述の接続点３４に導かれる。ここでバンドギャップ定電圧源３６は、抵抗Ｒ２６〜Ｒ２８とトランジスタＱ１０〜Ｑ１６を含み、トランジスタＱ１４のエミッタ面積は、トランジスタＱ１３のエミッタ面積のたとえば１０倍に選ばれ、このトランジスタＱ１４に直列に接続される抵抗Ｒ２７が設けられる。出力のためのトランジスタＱ１６に直列に接続されている抵抗Ｒ２８は、抵抗Ｒ２７の抵抗値の１０倍に選ばれる。
　【００３６】
　差動回路３７は、抵抗Ｒ２９と、前述の可変抵抗ＶＲ１３と、トランジスタＱ１７〜Ｑ２０と、コンデンサ３９とを含む。基準電流Ｉ０に関して、次式が成立する。
　【００３７】
　　　Ｉ０＝Ｖａ／ＶＲ１３　　　　　　　　　　　　　　　…（６）
　ここでバンドギャップ定電圧源３６の出力電圧Ｖａは、たとえば約１．３Ｖである。
　【００３８】
　トランジスタＱ１０と抵抗Ｒ２６は起動回路であり、電源Ｖｃｃを加えると、抵抗Ｒ２６により決まる電流Ｉ０１をトランジスタＱ１０が流すことにより、トランジスタＱ１０のベース電流であるＩＢが流れる。このベース電流ＩＢは、トランジスタＱ１１，Ｑ１２，Ｑ１５から成るカレントミラー回路のペース電流つまりトランジスタＱ１１，Ｑ１２，Ｑ１５のベース電流となる。このことによりカレントミラー回路が動作を始め、バンドギャップ定電圧源３６が動作する。
　【００３９】
　トランジスタＱ１３とトランジスタＱ１４は１：１０のトランジスタ数の比で構成されており、かつ定電流Ｉが流れるため、抵抗Ｒ２７の両端にはΔＶの電圧が生じる。
　【００４０】
　【数１】
　【００４１】
　上記より、１項目がＶＢＥの温度係数約−２ｍＶ／℃、２項目は約＋２ｍＶ／℃であるから、両項は相殺して温度係数は０となり、温度的に安定な電圧となる。このときの出力電圧Ｖａは式６ｃにより、
　【００４２】
　【数２】
　【００４３】
である。
　【００４４】
　また差動回路３７は、オペアンプである。
　【００４５】
　図７は、本発明の他の実施例の液晶駆動用電源２１Ａの具体的な構成を示す電気回路図である。電源回路２４の出力電圧ＶＤＤ，ＶＥＥは、ライン２９，３０間で直列抵抗Ｒ２１〜Ｒ２４によって分圧され、その中点４０の電圧はオペアンプＡ１９によってインピーダンス変換され、コモン中心電圧Ｖ２が得られる。分圧抵抗Ｒ２２は、可変抵抗であり、その抵抗によって得られる電圧はオペアンプＡ１８に与えられ、これによってセグメント第１電圧Ｖ１が得られる。差動増幅器４１は、オペアンプＡ２０と抵抗Ｒ３４，Ｒ３５によって構成され、コモン中心電圧Ｖ２とオペアンプＡ１８からのセグメント第１電圧Ｖ１とが与えられて、それらの差の電圧（Ｖ２−Ｖ１）がセグメント第２電圧Ｖ３として導出される。
　【００４６】
　図８は、本発明のさらに他の実施例の液晶駆動用電源２１Ｂの電気回路図である。この図８に示される液晶駆動用電源２１Ｂは、前述の図７の実施例に類似し、対応する部分には同一の参照符を付す。可変抵抗Ｒ２２の出力電圧はバッファ４３を経て、差動増幅器４４に与えられ、またもう１つの差動増幅器４５に与えられる。差動増幅器４４は、オペアンプＡ２２と抵抗Ｒ３６，Ｒ３７によって実現される。差動増幅器４５は、オペアンプＡ２３と抵抗Ｒ３８，Ｒ３９によって実現される。差動増幅器４４，４５のゲインを設定する各抵抗Ｒ３６〜Ｒ３９は、次の式７が成立するように定められる。
　【００４７】
　　（Ｒ３６＋Ｒ３７）／Ｒ３６＝Ｒ３９／Ｒ３８　　　　　…　（７）
　この図８において、式７が成立する理由を説明すると、電圧Ｖ１と電圧Ｖ３が電圧Ｖ２に対して上下等しい対称な電圧となるためには、非反転増幅器であるオペアンプＡ２２と反転増幅器であるオペアンプＡ２３のゲインが等しいことが条件となる。
　【００４８】
　【数３】
　【００４９】
が必要となる。
　【００５０】
　図９は、本発明の他の実施例の液晶駆動用電源２１Ｃの構成を示すブロック図である。セグメント電圧源４７は、コモン中心電圧Ｖ２を発生し、そのコモン中心電圧Ｖ２を中心として上下にセグメント第１電圧Ｖ１とセグメント第２電圧Ｖ３とをそれぞれ発生する。コモン電圧源４８は、コモン中心電圧Ｖ２が与えられ、このコモン中心電圧Ｖ２の上下に、かつセグメント第１および第２電圧Ｖ１，Ｖ３を超えるコモン第１電圧Ｖ０とコモン第２電圧Ｖ４とをそれぞれ発生する。
　【００５１】
　図１０では、電源回路２４からライン４９には、電圧Ｖｃｃが与えられ、セグメント電圧源４７では、電流源５０に、基準電圧源５１が接続され、それらの接続点５２には、分圧のための直列抵抗Ｒ４１〜Ｒ４３が接続される。これらの接続点５３〜５５の各出力は、オペアンプＡ２４によってコモン中心電圧Ｖ２が得られ、またオペアンプＡ２５，Ａ２６によってセグメント第１および第２電圧Ｖ１，Ｖ３が上下に対称に得られる。
　【００５２】
　さらにコモン電圧源４８では、差動増幅器５６を構成するオペアンプＡ２７と抵抗Ｒ４４，Ｒ４５によって実現され、コモン中心電圧Ｖ２とセグメント第２電圧Ｖ３とが与えられて、コモン第１電圧Ｖ０が導出される。もう１つの差動増幅器５７は、オペアンプＡ２８と抵抗Ｒ４６，Ｒ４７によって実現される。この差動増幅器５７には、コモン中心電圧Ｖ２とセグメント第１電圧Ｖ１とが与えられて、コモン第２電圧Ｖ４が得られる。
　【００５３】
　基準電圧源５１は、電源回路２４からの電圧Ｖｃｃおよび接地電圧ＧＮＤが与えられて、基準電圧ＶＡを得ることができる。抵抗Ｒ４２，Ｒ４３の抵抗値は等しく、さらにまた抵抗値Ｒ４１〜Ｒ４３の各抵抗値は全て等しくてもよく、こうして接続点５４には、基準電圧ＶＡの中点電圧が、コモン中心電圧Ｖ２として得られる。ここで前述の式２が成立する。差動増幅器５６，５７のゲインをＧ５６，Ｇ５７とすると、
　　　ＧＡ５６＝（Ｒ４４＋Ｒ４５）／Ｒ４４　　　　　　　　…（８）
　　　ＧＡ５７＝（Ｒ４６＋Ｒ４７）／Ｒ４６　　　　　　　　…（９）
となる。ここで、
　　　Ｒ４４＝Ｒ４５　　　　　　　　　　　　　　　　　　…（１０）
　　　Ｒ４６＝Ｒ４７　　　　　　　　　　　　　　　　　　…（１１）
という条件に設定しておくと、
　　　ＧＡ５６＝ＧＡ５７　　　　　　　　　　　　　　　　…（１２）
となる。したがってコモン第１および第２電圧Ｖ０，Ｖ４は、式１３，１４が成立する値として得ることができ、これによって前述の式１が成立する。
　【００５４】
　　　Ｖ０−Ｖ２＝ＧＡ５６＊（Ｖ２−Ｖ３）　　　　　　　…（１３）
　　　Ｖ２−Ｖ４＝ＧＡ５７＊（Ｖ１−Ｖ２）　　　　　　　…（１４）
　図１１は、基準電圧源５１の具体的に構成を示す電気回路図である。定電流源５０には直列にツエナダイオードＺＡが接続され、接続点５２から、基準電圧ＶＡが導出される。
　【００５５】
　図１２は、本発明の他の実施例の基準電圧源５１Ａの具体的な構成を示す電気回路図である。この図１２に示される構成は、前述の図６に示される構成に類似し、対応する部分には同一の参照符を付す。バンドギャップ定電圧源３６の出力電圧Ｖａは、差動回路３７に与えられ、この差動回路３７に含まれるトランジスタＱ２０のエミッタから導出される出力電圧ＶＡが得られる。トランジスタＱ２０に接続される直列抵抗Ｒ４８，Ｒ４９に関連して、次式が成立する。
　【００５６】
　　　ＶＡ＝（Ｒ４８＋Ｒ４９）／Ｒ４８＊Ｖａ　　　　　　…（１５）
　バンドギャップ定電圧源３６は、前述の図６に類似している。差動回路３７において、トランジスタＱ１７のベースには、基準電圧Ｖａが与えられており、反転入力であるトランジスタＱ１８のベースには出力ＶＡから抵抗Ｒ４９を介して帰還されている。オペアンプの両入力はＶａとなるように帰還がかかっているため、トランジスタＱ１８のベース電圧もＶａとなり、この電圧が抵抗Ｒ４８にかかっている。したがって、出力電圧ＶＡは抵抗Ｒ４８とＲ４９との比で決定するため、
　【００５７】
　【数４】
　【００５８】
　となる。
　【００５９】
　前述の実施例におけるＶＤＤ，Ｖｃｃは、接地電位に対してたとえば約４０Ｖであってもよい。
　【００６０】
　図１３は、本発明の他の実施例の電気回路図である。この実施例は、図１０に示される実施例に類似し、対応する部分には同一の参照符を付す。注目すべきはこの実施例では、差動増幅器５８が設けられ、これはオペアンプＡ２９と抵抗Ｒ５０，Ｒ５１とから成り、コモン中心電圧Ｖ２に関して差動増幅器５７からのコモン第２電圧Ｖ４の極性が逆転されたコモン第１電圧Ｖ０が得られる。抵抗Ｒ４７を可変抵抗とすることによって、コモン第１および第２電圧Ｖ０，Ｖ４の両電圧を一勢に調整することができる。このとき差動増幅器５８のゲインを１とし、そのために
　　　Ｒ５０＝Ｒ５１　　　　　　　　　　　　　　　　…（１６）
に定める。
　【００６１】
　図１４は、本発明の他の実施例の電気回路図である。この液晶駆動用電源は、図１０に示される実施例に類似し、対応する部分には同一の参照符を付す。注目すべきはこの実施例では、セグメント電極を駆動するためのセグメント第１および第２電圧Ｖ１，Ｖ３は、いわゆるロジック系電源と共用化することを可能にするための構成を実現する。すなわちセグメント第１電圧Ｖ１を、ロジック系電源回路２４における電圧ＶＤＤとして導出し、またセグメント第２電圧Ｖ３を、ロジック系電源２４の接地電圧ＧＮＤとして導出する。このために、接続点５２における基準電圧源５１の出力電圧ＶＡは、抵抗Ｒ５２，Ｒ５３によって分圧され、コモン中心電圧Ｖ２が、オペアンプＡ２４から導出される。基準電圧ＶＡは、オペアンプＡ３０に与えられて、セグメント第１電圧Ｖ１として用いられる。その他の構成は、前述の図１０の実施例と同様である。
　【００６２】
　図１５は、本発明のさらに他の実施例の液晶駆動用電源の電気回路図である。この実施例は前述の図１０に示される実施例に類似し、対応する部分には同一の参照符を付す。注目すべきはこの実施例では、前述の図１０に示される電流源５０および基準電圧源５１を省略し、電源回路２４からの出力電圧Ｖｃｃを、さらに抵抗Ｒ５４を用いて、分圧抵抗Ｒ４１〜Ｒ４４との接続点５９から、基準電圧ＶＡを得る。この基準電圧ＶＡが、分圧抵抗Ｒ４１〜Ｒ４４によって分圧されて、電圧Ｖ０〜Ｖ４が前述の実施例と同様に得られる。この構成によれば、構成が簡略化されるという利点がある。
　【００６３】
　図１６は、本発明のさらに他の実施例の液晶駆動用電源２１を含む液晶表示装置の全体の構成を示すブロック図である。この実施例は前述の図１に示される実施例に類似し、対応する部分は同一の参照符を付す。この実施例においては、液晶パネル２５の表示をオフして遮断するための表示オフ信号発生回路６０が設けられる。
　【００６４】
　図１７は、図１６に示される液晶駆動用電源２１の具体的な構成を示す電気回路図である。この実施例は、前述の図１５に示される実施例に類似し、対応する部分には同一の参照符を付す。この実施例では、セグメント第１および第２電圧Ｖ１，Ｖ３に対応する分圧抵抗Ｒ４１〜Ｒ４４の接続点６１，６２間を、スイッチング手段であるトランジスタＱ２１，Ｑ２２が接続される。これらのトランジスタＱ２１，Ｑ２２は、表示オフ信号発生回路６０からライン６３を介する表示オフ信号によって導通される。トランジスタＱ２１，Ｑ２２が導通されることによって、接続点６１，６２が短絡されることになる。したがって
　　　Ｖ１＝Ｖ２＝Ｖ３　　　　　　　　　　　　　　　　　…（１７）
　またこれによって差動増幅器５６，５７の出力電圧であるコモン第１および第２電圧Ｖ０，Ｖ４もまた、コモン中心電圧Ｖ２と同一値となる。換言すると、各電圧Ｖ０〜Ｖ４は、全て同一のコモン中心電圧Ｖ２に等しくなる。これによって表示パネル２５の表示を休止させてオフさせ、またその消費電力をほぼ零とすることができるという優れた効果が達成される。その他の構成は、前述の実施例と同様である。
　【００６５】
　図１８は、図１６の実施例における液晶駆動用電源２１の具体的な構成を示すブロック図である。この実施例では、電源回路２４からの出力電圧Ｖｃｃがライン４９から分圧抵抗Ｒ５６，Ｒ５７に与えられて接続点６４からは、オペアンプＡ１９を介して電圧が導出されて、コモン中心電圧Ｖ２が得られる。このコモン中心電圧Ｖ２が得られるライン６５はまた、セグメントのための可変電圧回路６６とコモン電極のための可変電圧回路６７とに与えられる。各可変電圧回路６６，６７は、電流が可変の基準電流回路６８，６９を含む。ライン６５と各基準電流源６８，６９との間には、抵抗Ｒ５８，Ｒ５９がそれぞれ接続され、これによって基準電流が変化されることによって、ライン７０，７１の電圧が変化されることになる。可変電圧回路６６からライン７０に導出される電圧は、オペアンプＡ３３を経てコモン第１電圧Ｖ０として用いられる。もう１つの可変電圧回路６７からライン７１に導出される電圧は、オペアンプＡ３２を介して第１セグメント電圧Ｖ１として用いられる。
　【００６６】
　差動増幅器７２は、ライン６５からのコモン中心電圧Ｖ２と、オペアンプＡ３３からのコモン第１電圧Ｖ０とが与えられ、それらの差（Ｖ２−Ｖ０）に対応するコモン第２電圧Ｖ４を発生する。この差動増幅器７２は、オペアンプＡ３４と抵抗Ｒ６０，Ｒ６１によって実現される。
　【００６７】
　ライン６５のコモン中心電圧Ｖ２とセグメント第１電圧Ｖ１とは、差動増幅器７３に与えられ、これによってそれらの差（Ｖ２−Ｖ１）に対応するセグメント第２電圧Ｖ３が導出される。差動増幅器７３は、オペアンプＡ３５と抵抗Ｒ６２，Ｒ６３によって実現される。
　【００６８】
　図１９は、図１８に示される可変電圧回路６６の具体的な構成を示す電気回路図である。この可変電圧回路６６は、前述の図６の基準電流源に類似し、対応する部分には同一の参照符を付す。注目すべきはこの実施例では、基準電流源６８は、前述の図６の構成と同様に、バンドギャップ定電圧源３６と差動回路３７とを含む。ライン３８は、抵抗Ｒ５８を介してコモン中心電圧Ｖ２が与えられるライン６５に接続される。こうして電流Ｉ０に依存する抵抗Ｒ５８の両端電圧に対応して、ライン７０には、コモン第１電圧Ｖ０が出力される。
　【００６９】
　差動回路３７は、オペアンプであって、ボルテージホロアの出力を電流で出力する。トランジスタＱ１７とＱ１８は差動入力対を形成しており、トランジスタＱ１７のペースが非反転入力、トランジスタＱ１８のベースが反転入力となり、トランジスタＱ２０を介して出力をＱ１８のベースに帰還した形のボルテージホロア回路となっている。つまり、トランジスタＱ１８のペースの電圧もＶａとなる。したがって、抵抗ＶＲ１３の両端には電圧Ｖａがかかり、ここで決定される出力電流Ｉ０はトランジスタＱ１２を介して出力されている。
　【００７０】
　【数５】
　【００７１】
となり、抵抗ＶＲ１３を可変すると出力電圧も反比例して電圧Ｖ２を基準として変化する。
　【００７２】
　表示オフ信号発生回路６０からライン６３を介する表示オフ信号は、差動回路３７の可変抵抗ＶＲ１３に与えられ、これによって表示パネル２５の表示を休止するときには、可変抵抗ＶＲ１３の抵抗値を無限大、すなわちオフ状態として開放する。これによって出力電流Ｉ０が零となり、コモン中心電圧Ｖ２はコモン第１電圧Ｖ０と等しくなる。
　【００７３】
　本発明のさらに他の実施例として、電流Ｉ０を零とするために、基準電圧回路３６の出力トランジスタＱ１５を導通／遮断するためのスイッチングトランジスタＱ２４が設けられる。このトランジスタＱ２４のベースに、表示オフ信号発生回路６０からのライン６３を介する表示オフ信号が与えられる。これによって表示パネル２５による表示をオフとするにあたっては、出力トランジスタＱ１５を遮断して、出力電圧Ｖａを零、すなわち接地ＧＮＤレベルとする。これによって差動回路３７の電流Ｉ０が零となり、上述と同様にコモン第１電圧Ｖ０がコモン中心電圧Ｖ２と等しくなる。これによってコモン第２電圧Ｖ４もまたコモン中心電圧Ｖ２と等しくなる。
　【００７４】
　もう１つの可変電圧回路６７もまた、可変電圧回路６６と同様な構成を有し、これによって表示オフ時にはセグメント第１および第２電圧Ｖ１，Ｖ３は、コモン中心電圧Ｖ２と等しい値になる。
　【００７５】
　図２０は、本発明の一実施例のオペアンプＡ１１〜Ａ３４の具体的な構成を示す電気回路図である。このオペアンプは、差動回路７６と出力回路７７とを含む。差動回路７６は、トランジスタＱ２６〜Ｑ３２と抵抗Ｒ６５〜Ｒ６９を含み、２つの入力端子７８，７９を有する。出力回路７７は、トランジスタＱ３４〜Ｑ４０を備え、さらに抵抗Ｒ７０〜Ｒ７２を備える。さらにコンデンサＣ２が備えられる。出力回路７７からの出力端子８０は、出力トランジスタＱ３９，Ｑ４０に接続され、これらのトランジスタＱ３９，Ｑ４０を動作させるためのトランジスタＱ３７には、電力消費の節減のためのスイッチング回路８１がライン８２を介して接続される。スイッチング回路８１は、トランジスタＱ４１と抵抗Ｒ７３とを含む。液晶パネル２５の表示オフを行うときに、ライン８２を介してスイッチングトランジスタＱ４１に休止信号を導出することによってトランジスタＱ３７を遮断させる。これによって出力回路７７の電流を低減し、消費電力の節約を図ることができる。
　【００７６】
　この図２０の構成は、オペアンプの出力部の電流を低減する例であり、出力ソース電流用ベース電流を供給する定電流回路のトランジスタＱ３７を外部よりコントロールしてカットオフにする。液晶駆動用オペアンプは負荷（液晶パネル）への充放電を急速にするため出力部の電流を多くすることがよくある。ディスプレイをオフとした場合、そのような電流能力の要求はなくなるので、この場合、トランジスタＱ４１を外部よりオンさせることによりトランジスタＱ３７をカットオフにさせる。これはトランジスタＱ４１がオンすることにより、トランジスタＱ４１のコレクタ電圧はほぼＧＮＤレベルに近い値となるため、トランジスタＱ３７のエミッタ電位はＶｃｃ−ＧＮＤ間を抵抗Ｒ７１とＲ７３で分割した値となる。ここで抵抗Ｒ７１とＲ７２を所望の設定にすることによりトランジスタＱ３７のベース・エミッタ間には逆バイアスがかかり、カットオフ状態となる。ここで、出力トランジスタのべース電流を供給している定電流トランジスタＱ３６とＱ３７の電流比をＩ（Ｑ３７）＞Ｉ（Ｑ３６）としておくと、トランジスタＱ３７をカットオフすることにより出力部の電流を少なくすることができる。ただしこれは一例であり、回路７６と７７は一般的なオペアンプを構成する回路である。
　【００７７】
　【発明の効果】
　以上のように本発明によれば、コモン電極を駆動するためにコモン中心電圧とそれを中心として上下のコモン第１および第２電圧Ｖ０，Ｖ４とが用いられ、またこのコモン中心電圧Ｖ２の上下にセグメント駆動のためのセグメント第１および第２電圧Ｖ１，Ｖ３が発生され、したがってこれらの各電圧Ｖ０〜Ｖ４は、その種類が、比較的少なく、これによって液晶駆動用電源の構成を簡略化することができる。
　【００７８】
　また本発明によれば、コモン電圧源およびセグメント電圧源によって、コモン第１および第２電圧Ｖ０，Ｖ４とセグメント第１および第２電圧Ｖ１，Ｖ３とを、それぞれ独立して調整することができる。したがって液晶表示装置のコントラスの調整が容易になるという効果が達成される。
　【００７９】
　さらに本発明によれば、セグメント電極を駆動するためのセグメント第１および第２電圧Ｖ１，Ｖ３は２種類の値であり、その電圧Ｖ１，Ｖ３の電位差を小さくすることができる。したがってセグメントを駆動するドライバの電源電圧を低電圧化することができ、低消費電力化を図ることができる。さらにまたこれによって、集積回路による実現が可能となり、微細化プロセスによる構成の小形化が可能となる。従来技術に比べて、本発明では構成を小形化することができ、したがってコストを低減することができ、さらに基板面積が大きくなるという問題は解消されて、小形化が可能になる。
　【００８０】
　さらに本発明によれば、セグメント第１および第２電圧Ｖ１，Ｖ３の電位差を小さくし、これによって波形鈍りが解消される。したがって液晶表示装置の表示品位を改善することができるという効果もまた、達成される。
　【００８１】
　さらに本発明では、上述のようにコモン中心電圧Ｖ２を中心として、その上下にコモン第１および第２電圧Ｖ０，Ｖ４が発生され、またそのコモン中心電圧Ｖ２の上下にセグメント第１および第２電圧Ｖ１，Ｖ３が発生されるので、これらの各電圧Ｖ０〜Ｖ４を対称に得ることができ、このことによってもまた構成の簡略化を図ることができ、また電圧の調整が容易になる。
　【００８２】
　さらに本発明によれば、液晶表示装置の表示を行わないとき、すなわち表示のオフ時には、コモン第１および第２電圧Ｖ０，Ｖ４ならびにセグメント第１および第２電圧Ｖ１，Ｖ３を、コモン中心電圧Ｖ２に等しくすることができるようになる。これによって液晶表示装置に電力が流れることが防がれて、表示を行わないときにおける消費電力の低減が可能になる。さらにまた表示をオフさせるにあたり、液晶駆動用電源において、その操作を行うことができ、前述の従来技術に関連して述べたように、ドライバに表示のオフのためのスイッチを設ける必要がなく、構成の簡略化を図ることもまた、可能となる。
【図面の簡単な説明】
　【図１】
　本発明の一実施例の液晶表示装置の全体の構成を示すブロック図である。
　【図２】
　液晶駆動用電源２１から得られる電圧レベルを示す図である。
　【図３】
　液晶パネル２５が駆動される電圧波形を示す図である。
　【図４】
　本発明の一実施例の液晶駆動用電源２１の構成を示すブロック図である。
　【図５】
　図４に示される液晶駆動用電源２１の具体的な構成を示す電気回路図である。
　【図６】
　図５において用いられる基準電流源３３の具体的な構成を示す電気回路図である。
　【図７】
　本発明の他の実施例の液晶駆動用電源２１Ａの電気回路図である。
　【図８】
　本発明のさらに他の実施例の液晶駆動用電源２１Ｂの構成を示す電気回路図である。
　【図９】
　本発明のさらに他の実施例の液晶駆動用電源２１Ｃの構成を示す電気回路図である。
　【図１０】
　図９に示される液晶駆動用電源２１Ｃの具体的な電気的構成を示す電気回路図である。
　【図１１】
　図１０に示される基準電圧源５１の具体的な電気的構成を示す電気回路図である。
　【図１２】
　図１０に示される基準電圧源５１の具体的な構成を示す電気回路図である。
　【図１３】
　本発明のさらに他の実施例の図９に示される液晶駆動用電源２１Ｃの構成を示す電気回路図である。
　【図１４】
　本発明のさらに他の実施例の図９に示される液晶駆動用電源２１Ｃの具体的な構成を示す電気回路図である。
　【図１５】
　本発明のさらに他の実施例の図９に示される液晶駆動用電源２１Ｃの具体的な構成を示す電気回路図である。
　【図１６】
　本発明の他の実施例の液晶表示装置の全体の構成を示すブロック図である。
　【図１７】
　図１６に示される液晶駆動用電源２１の具体的な構成を示す電気回路図である。
　【図１８】
　本発明のさらに他の実施例の図１６に示される液晶駆動用電源２１の具体的な構成を示す電気回路図である。
　【図１９】
　図１８に示される可変電圧回路６６の具体的な構成を示す電気回路図である。
　【図２０】
　本発明において用いられるオペアンプＡ１１〜Ａ３４の具体的な構成を示す電気回路図である。
　【図２１】
　従来技術の液晶表示装置の全体の構成を示すブロック図である。
　【図２２】
　図２１に示される従来技術における液晶駆動用電源１の具体的な構成を示す電気回路図である。
　【図２３】
　図２１および図２２に示される従来技術の液晶パネル３に与えられる電圧の波形を示す図である。
　【図２４】
さらに他の従来技術の液晶駆動用電源１の電気回路図である。
　【図２５】
さらに他の従来技術の構成を示すブロック図である。
　【図２６】
図２５に示される従来技術の具体的な構成を示す電気回路図である。
　【図２７】
　図２５および図２６に示される従来技術において液晶に与えられる電圧の波形を示す図である。
　【図２８】
　他の従来技術の構成を示すブロック図である。
　【図２９】
　図２８に示される従来技術の具体的な電気的構成を示す電気回路図である。
　【符号の説明】
　２１　液晶駆動用電源
　２２　コモンドライバ
　２３　セグメントドライバ
　２４　電源回路
　２５　液晶パネル
　２６データ発生回路
　２７，４８　コモン電圧源
　２８，４７　セグメント電圧源
　２９，３０，３２，３８，４９，６３，６５，７０，７１　ライン
　３１，５２，５９，６４　接続点
　３３　基準電流源
　３６　バンドギャップ定電圧源
　３７，７６　差動回路
　３９　コンデンサ
　４０　中点
　４１，４４，４５，５６，５７，５８　差動増幅器
　４３　バッファ
　５０　電流源
　５１　基準電圧源
　６０　表示オフ信号発生回路
　６６，６７　可変電圧回路
　６８，６９　基準電流回路
　７２　差動増幅器
　７７　出力回路
　７８，７９　入力端子
　８０　出力端子
　８１　スイッチング回路
　Ａ１１〜Ａ３４　オペアンプ
　Ｒ１，Ｒ２，Ｒ２３〜Ｒ７３　抵抗
　Ｖ０　コモン第１電圧
　Ｖ１　セグメント第１電圧
　Ｖ２　コモン中心電圧
　Ｖ３　セグメント第２電圧
　Ｖ４コモン第２電圧